(57)【要約】      （修正有）【課題】鍔付きヘルメットや帽子に取り付けることができる雨よけバイザーを提供する。【解決手段】端部を着脱可能に緊締しうる長さ調整可能なベルト部２と、ベルト部を通して連結されたバイザー部３と、ベルト部とバイザーとの間に介設される左右一対の介設具１０とからなっており、介設具が、中央壁部と、中央壁部の両端から略直角に折れ曲がる一対の折曲り片部１２，１３とからなっており、中央壁部に、バイザーの受部に着脱可能に掛止めうる係止部１４が設けられていることを特徴とする。【選択図】図２
0003194539.tif 000002
【実用新案登録請求の範囲】
【請求項１】
端部を着脱可能に緊締しうる長さ調整可能なベルト部と、
該ベルト部を通して連結されたバイザー部と、
ベルト部とバイザーとの間に介設される左右一対の介設具とからなっており、
該介設具が、中央壁部と、該中央壁部の両端から略直角に折れ曲がる一対の折曲り片部とからなっており、
前記中央壁部に、バイザーの受部に着脱可能に掛止めうる係止部が設けられていることを特徴とする雨よけバイザー。
【請求項２】
一方の折曲げ片部の内壁面に、バイザーに着脱可能に掛止めうる第２係止部が設けられ、他方の折曲げ片部の内壁面に、ベルト部を掛止める掛止部が形成されており、
中央壁部を上面に配置し、前記一方の折曲げ片部を前方にして該一方の折曲げ片部の内壁面に沿ってバイザーを配置し、前記第２係止部でバイザーを内側に掛止め、
前記他方の折曲げ片部を後方にして、内壁面の掛止部にバンド部を掛止めてなることを特徴とする請求項１に記載の雨よけバイザー。
【請求項３】
ヘルメットまたは帽子に鍔が無い場合に、左右一対の介設具の間の隙間を塞ぐ鍔構成片をヘルメットまたは帽子に着脱可能に連結して鍔付きヘルメットまたは帽子として使用しうることを特徴とする請求項１に記載の雨よけバイザー。
【考案の詳細な説明】
【技術分野】
【０００１】
本考案は、降雨時に顔面への雨粒をよける雨よけバイザーであって、着用者が眼鏡を付けたままでもバイザー本体を直接に頭部に装着し、または庇付きの帽子やヘルメットに装着することができる雨よけバイザーに関する。
【背景技術】
【０００２】
この種の雨よけ用のバイザーとして、例えば、特開２０１０−６５３６７号では、顔の前面及び両側面を覆うことができるようにすると共に、表面を降雨が当接しても視界が維持でき、裏面を曇り止めができるようにした透明合成樹脂フィルムであって、上端部周縁部を頭部に密着できるように、両側端部に、ゴムバンド又はかみ合いバンド等で伸縮又は長さ調節できるようにした調節バンドを取りつけた顔面雨よけ透明カバーが開示されている。
しかし、上記構造では、透明カバーは、上端部周縁部を頭部に密着できるように取り付けられているため、着用者が眼鏡をかけている場合に、透明カバーと眼鏡とが接触して、使いづらいという欠点があった。
そこで、本考案者は、意匠登録第１４８６６２８号で、バイザーに設けた一対のスペーサーとバイザー両端側に通した可撓性を有するベルトの両端を頭部後方で重ね合わせて着脱可能に連結して、フードの内側に着用することで、眼鏡を付けたままでもバイザーを略垂直に着用することができ、降雨時における自転車の運転や屋外での軽作業などに好適である雨よけバイザーを提案した。
本考案者は、更に鋭意研究の結果、着用者が鍔付きヘルメットや帽子を着用している場合にもそれらヘルメットや帽子に装着できるようにした雨よけバイザーを完成するに至った。
【先行技術文献】
【特許文献】
【０００３】
【特許文献１】特開２０１０−６５３６７号公報
【特許文献２】意匠登録第１４８６６２８号公報
【考案の概要】
【考案が解決しようとする課題】
【０００４】
この考案が解決しようとする問題点は、着用者が鍔付きヘルメットや帽子を着用している場合にもそれらヘルメットや帽子に装着できるようにした雨よけバイザーを提供することにある。
【課題を解決するための手段】
【０００５】
本考案は、上記課題を解決するために、請求項１の考案では、
端部を着脱可能に緊締しうる長さ調整可能なベルト部と、
該ベルト部を通して連結されたバイザー部と、
ベルト部とバイザーとの間に介設される左右一対の介設具とからなっており、
該介設具が、中央壁部と、該中央壁部の両端から略直角に折れ曲がる一対の折曲り片部とからなっており、
前記中央壁部に、バイザーの受部に着脱可能に掛止めうる係止部が設けられていることを特徴とする。
請求項２の考案では、
一方の折曲げ片部の内壁面に、バイザーに着脱可能に掛止めうる第２係止部が設けられ、他方の折曲げ片部の内壁面に、ベルト部を掛止める掛止部が形成されており、
中央壁部を上面に配置し、前記一方の折曲げ片部を前方にして該一方の折曲げ片部の内壁面に沿ってバイザーを配置し、前記第２係止部でバイザーを内側に掛止め、
前記他方の折曲げ片部を後方にして、内壁面の掛止部にバンド部を掛止めてなることを特徴とする。
請求項３の考案では、
ヘルメットまたは帽子に鍔が無い場合に、左右一対の介設具の間の隙間を塞ぐ鍔構成片をヘルメットまたは帽子に着脱可能に連結して鍔付きヘルメットまたは帽子として使用しうることを特徴とする。
【考案の効果】
【０００６】
本考案の雨よけバイザーは、簡単で安価な構成であって、鍔付きのヘルメットや帽子であっても、大人や児童などを問わず、誰でも容易にバイザーを装着することができる。
また、鍔付きのヘルメットや帽子を用いない場合であっても、介設具の向きを変えてバイザー部を付け替えることで、直接に使用者の頭部に雨よけバイザーを装着することができる。
【図面の簡単な説明】
【０００７】
【図１】介設具の側面図である。
【図２】雨よけバイザーの要部を示す側面図である。
【図３】鐔付きヘルメットに装着した状態の要部拡大側面図である。
【図４】使用状態を示す側面図である。
【図５】雨よけバイザーの正面図である。
【図６】頭部に装着する場合の雨よけバイザーの要部を示す側面図である。
【図７】図６の使用状態を示す側面図である。
【図８】鍔構成片を示す説明図である。
【考案を実施するための形態】
【０００８】
以下にこの考案の雨よけバイザーの好適実施例について図面を参照しながら説明する。
【実施例１】
【０００９】
雨よけバイザー１は、図２から図５に示すように、端部を着脱可能に緊締しうる長さ調整可能なベルト部２と、該ベルト部２を通したバイザー部３と、前記ベルト部２とバイザー部３との間に介設される介設具１０とからなっている。
【００１０】
ベルト部２は、両端の一方の端部には一方の連結手段、図示例では端部の外面に面ファスナーの一方（例えば雄型）２ａが形成され、他方の端部には他方の連結手段、図示例では端部の内面に面ファスナーの他方（例えば雌型）２ｂが形成されており、ベルト部２を緊締状態で環状に連結することができる。
【００１１】
バイザー部３は、透明な樹脂からなっており、左右に一対の切込５を有しており、前記ベルト部２が、バイザー部３内では内側となり、切込５からバイザー部３を出ると外側となるように取り付けられている。
このように装着されたバイザー部３は、ベルト部２に対して略直角に垂下した状態で取り付けられる。
【００１２】
次に、介設具１０は、図１に示すように、中央壁部１１と、該中央壁部１１の両端からそれぞれ略直角に平行に折れ曲がる一対の折曲り片部１２、１３とからなっている。
前記中央壁部１１には、バイザー部３に着脱可能に掛止めうる係止部１４が設けられている。
本実施例では、係止部１４は軸部の先端が軸部より大径で略半球状の突部からなっており、バイザー部３には、前記係止部１４より小径の孔を中心に左右に切れ目が形成された受部４が形成されている。
【００１３】
本実施例では、介設具１０は、鍔付きヘルメット２０や帽子の着用時に使用する場合、頭部Ｈに直接装着する場合に兼用できる構造となっている。
図示例では鍔付きヘルメット２０のみを示したが鍔付き帽子であっても同様であるので、その説明を省略する。
【００１４】
一方の折曲げ片部１２の内壁面に、バイザー部３の前記受部４に着脱可能に掛止めうる第２係止部１５が設けられている。
上記第２係止部１５は係止部１４と同じ形状からなっている。
次に、他方の折曲げ片部１３の内壁面には、ベルト部２を掛止めるための蟻溝状の掛止部１６が形成されている。
【００１５】
上記構成からなっているので、鐔付きヘルメット２０に使用する場合には、介設具１０は、中央壁部１１の内壁面にベルト部２を接するように取り付け、中央壁部１１の外壁面に沿って外側にバイザー部３を配置し、外方へ突出する係止部１４を受部４に掛止めて使用に供する。
そして、鍔付きヘルメット２０の鍔部２１を前記中央壁部１１の内壁面に沿って取り付けられたベルト部２に押しつけ、ヘルメットの後方で環状にしたベルト部２の連結手段により緊締して取り付けている。
【００１６】
ここで、中央壁部１１の内壁面にはこれに接する前記ベルト部２を掛止めるための段部１１ａを形成してもよい。
また、前記第２係止部１５は前記ベルト部２の裏面を掛止める突部として使用することもできる。
【００１７】
これにより、図４に示すように、着用者は眼鏡を掛けていても鍔付きヘルメット２０の鍔部で雨を避けることができ、バイザー部３を使用することができる。
使用に際しては、ヘルメット２０の上からレインコート等のフードをかぶってもよい。
【００１８】
図６から図７に示す雨よけバイザー１は、前記介設具１０を向きを変えて取り付けた場合であって、直接に使用者の頭部Ｈに装着する場合を示す。
この場合、介設具１０は、一方の折曲げ片部１２を前面に配置し、中央壁部１１が上面となり、他方の折曲り片部１３が後方に配置されるように変位する。
【００１９】
そして、一方の折曲げ片部１２の内壁面から後方へ突出する第２係止部１５を、バイザー部３の受部４に着脱可能に掛止める。
また、他方の折曲げ片部１３の内壁面の掛止部１６には、ベルト部２が嵌合して掛止められる。
【００２０】
上記構成からなるので、ベルト部２は頭部Ｈに沿って隙間なく緊締され、バイザー部３は介設具１０の中央壁部１１の長さだけ頭部Ｈから離間した位置でバイザー部３を保持するので、フードＦをかぶることで、使用者は眼鏡を掛けた状態であっても、支障なくバイザー部３を使用することができる。
【実施例２】
【００２１】
ヘルメットや帽子に鍔が無い場合には、ヘルメットや帽子に鍔構成片２５を剥離可能に接着すればよい。
この鍔構成片２５は、少なくとも一対の介設具１０の中央壁部１１の内壁面と衝合可能な横幅を有しており、頭部Ｈから所定の長さ離間する長さを有し、基端側にはヘルメットや帽子と剥離可能に接着する接着部が設けられた構成からなっている。
【００２２】
上記構成からなっているので、予めヘルメットや防止に鍔構成片２５を接着することで、前記実施例における鍔付きヘルメット２０や帽子２１と同様に雨よけバイザー１を取り付けることができる。
その他の構成は前記実施例に準じるのでその説明を省略する。
【００２３】
上記実施例では、鍔付きヘルメットや帽子にも、頭部にも装着できる雨よけバイザーの構成を説明したが、この考案では、鍔付きヘルメットや帽子のみに使用できる場合であってもよい。
その場合は、第２係止部を設けなくてもよい。
その他、要するにこの考案の要旨を変更しない範囲で種々設計変更しうること勿論である。
【符号の説明】
【００２４】
１    雨よけバイザー
２    ベルト部
３    バイザー部
４    受部
５    切込
１０    介設具
１１    中央壁部
１２、１３  折曲り片部
１４    係止部
１５    第２係止部
１６    掛止部
２０    鍔付きヘルメット
２５    鍔構成片
Ｈ    頭部
Ｆ    フード
【図１】
0003194539.tif 000003
【図２】
0003194539.tif 000004
【図３】
0003194539.tif 000005
【図４】
0003194539.tif 000006
【図５】
0003194539.tif 000007
【図６】
0003194539.tif 000008
【図７】
0003194539.tif 000009
【図８】
0003194539.tif 000010